(57)【特許請求の範囲】
【請求項１】
前眼部観察光学系の光軸と同軸に設けられ、被検眼に対して離反・接近され、かつ、前記被検眼の角膜に気流を吹き付ける気流吹付ノズルと、
前記被検眼に固視標を提示する固視標提示手段と、
前記気流を前記被検眼に吹き付けたときの前記角膜の変形に伴う検出情報に基づいて眼圧値を算出する演算手段とを備え、
前記気流吹付ノズルと前記固視標提示手段との相対位置が、前記被検眼が前記固視標を固視したときの視線軸に対して下方から前記気流を吹き付けるように設定されていることを特徴とする非接触式眼圧計。
【請求項２】
前記固視標提示手段は、前記被検眼の正面に前記気流吹付ノズルを配置した状態で被検者に固視標を固視させたときに前記被検眼を上向きに旋回させるよう前記気流吹付ノズルよりも上方位置に設けられていることを特徴とする請求項１に記載の非接触式眼圧計。
【請求項３】
前記固指標提示手段に加え、前記光軸の方向から前記気流吹付ノズルの内部を通して前記被検眼に中央固視標を提示する中央固視標提示手段が設けられていることを特徴とする請求項１または請求項２に記載の非接触式眼圧計。
【請求項４】
前記固視標と前記中央固視標の提示状態を切り換える切換手段を備えていることを特徴とする請求項３に記載の非接触式眼圧計。
【請求項５】
前記演算手段は、前記固視標を提示したときに得られた眼圧値を、前記中央固視標を提示したときに得られる眼圧値に換算する換算手段を備えていることを特徴とする請求項３または請求項４に記載の非接触式眼圧計。
【発明の詳細な説明】
【技術分野】
【０００１】
本発明は、被検眼の角膜に向けて気流吹付ノズルから気流を吹き付けることにより角膜を変形（圧平）させ、この圧平状態にある角膜からの反射光束を受光して眼圧を測定する非接触式眼圧計に関する。
【背景技術】
【０００２】
従来から、被検眼の角膜に向けて気流吹付ノズルから気流を吹き付けることにより角膜を変形（圧平）させ、このときの角膜からの反射光束を受光し、角膜変形の検出に基づいて眼圧を測定する非接触式眼圧計が知られている（例えば、特許文献１参照）。
【０００３】
この非接触式眼圧計は、気流吹付ノズルの他に、被検眼の前眼部像を観察する前眼部観察光学系、気流吹付ノズルの内部を通して被検眼に向け被検者の固視目標となる可視光を照射する固視光学系、被検眼に向けてアライメント光束を投影するアライメント投影光学系、被検眼の角膜により反射されたアライメント反射光束を受光するアライメント受光光学系、眼圧を測定するために被検眼の角膜変形を検出する検出光学系などを備えている。
【０００４】
そして、眼圧測定時には、ノズルの内部から固視標を被検者に見させつつ、気流吹付ノズルから気流を噴射させ、角膜からの反射光束の変化を検出光学系により検出して、眼圧測定を行うものである。
【先行技術文献】
【特許文献】
【０００５】
【特許文献１】特開平８−２８０６３１号公報
【発明の概要】
【発明が解決しようとする課題】
【０００６】
しかしながら、従来の非接触式眼圧計では、被検者の正面から気流吹付ノズルの内部を通して固視標を見させつつ測定を行なうため、被検者の睫毛が角膜を覆う場合、この睫毛が、気流吹付ノズルから吹き付ける気流の流れを阻害して、適切な角膜の圧平が成されない場合があった。
【０００７】
本発明は、上述のような従来の問題点に着目してなされたもので、睫毛が気流吹付ノズルから角膜に吹き付けるエアの流れを阻害するのを抑制可能な非接触式眼圧計を提供することを目的としている。
【課題を解決するための手段】
【０００８】
上記目的を達成するために本発明の非接触式眼圧計は、前眼部観察光学系の光軸と同軸に設けられ、被検眼に対して離反・接近され、かつ、前記被検眼の角膜に気流を吹き付ける気流吹付ノズルと、前記被検眼に固視標を提示する固視標提示手段と、前記気流を前記被検眼に吹き付けたときの前記角膜の変形に伴う検出情報に基づいて眼圧値を算出する演算手段とを備え、前記気流吹付ノズルと前記固視標提示手段との相対位置が、前記被検眼が前記固視標を固視したときの視線軸に対して下方から前記気流を吹き付けるように設定されていることを特徴とする。
【０００９】
また、請求項２に記載の発明は、請求項１に記載の非接触式眼圧計において、前記固視標提示手段は、前記被検眼の正面に前記気流吹付ノズルを配置した状態で被検者に固視標を固視させたときに前記被検眼を上向きに旋回させるよう前記気流吹付ノズルよりも上方位置に設けられていることを特徴とする。
【００１０】
また、請求項３に記載の発明は、請求項１または請求項２に記載の非接触式眼圧計において、前記光軸の方向から前記気流吹付ノズルの内部を通して前記被検眼に中央固視標を提示する中央固視標提示手段が設けられていることを特徴とする。
【００１１】
また、請求項４に記載の発明は、請求項３に記載の非接触式眼圧計において、前記上部固視標と前記中央固視標の提示状態を切り換える切換手段を備えていることを特徴とする。
【００１２】
また、請求項５に記載の発明は、請求項３または請求項４に記載の非接触式眼圧計において、前記演算手段は、前記上部固視標を提示したときに得られた眼圧値を、前記中央固視標を提示したときに得られる眼圧値に換算する換算手段を備えていることを特徴とする。
【発明の効果】
【００１３】
請求項１に記載の発明の非接触式眼圧計は、眼圧測定時には、被験者が、固指標提示手段が提示する固視標を固視した状態で、固視方向の下方から気流吹付ノズルが気流を吹き付ける。
このように、被検眼の固視方向の下方から気流が吹き付けられるため、固視方向と同方向から気流を吹き付ける場合と比較して、上瞼や睫毛による気流吹付の阻害が生じにくくなる。
【００１４】
さらに、請求項２に記載の非接触式眼圧計は、被検眼の正面に気流吹付ノズルを配置して被検者がその上方の固視標を固視した場合、被検眼が上向きに旋回され、それに伴い上瞼および睫毛が上方に持ち上げられる。したがって、上瞼および睫毛が上方に持ち上げられた分だけ、上瞼や睫毛が気流吹付ノズルからの気流を阻害しにくくなる。
【００１５】
さらに、請求項３，４に記載の発明では、眼圧測定時に、固視標と中央固視標とを選択できる構成としたので、被検者の上瞼や睫毛の状態に応じていずれかを採用できることになって好ましい。
【００１６】
請求項５に記載の発明では、気流吹付ノズルの上方に固視標を提示して測定したときでも、より正確な眼圧測定値を得ることができる。
【図面の簡単な説明】
【００１７】
【図１】図１は実施の形態１の非接触式眼圧計を示す図であり、（ａ）は非接触式眼圧計の背面図、（ｂ）は非接触式眼圧計の側面図である。
【図２】図２は非接触式眼圧計の光学系の側面図である。
【図３】図３は非接触式眼圧計により被検眼の角膜に正面方向から投影されたＸＹＺアライメント指標光の反射について示す説明図である。
【図４】図４は中央固視標を固視したときの被検眼の説明図であり、（ａ）はモニタの画面に表示された前眼部像を示す図であり、（ｂ）は中央固視標を固視したときの被検眼を側方から見た図である。
【図５】図５は非接触式眼圧計の中央固視標光学系および上部固視標光学系を示す断面図である。
【図６】図６は上部固視標を固視したときの被検眼の説明図であり、（ａ）はモニタの画面に表示された前眼部像を示す図であり、（ｂ）は上部固視標を固視したときの被検眼を側方から見た図である。
【図７】図７は角膜における頂点とその周辺との厚さの違いを説明する図である。
【図８】図８は実施の形態２の非接触式眼圧計の光学系の側面配置図である。
【図９】図９は実施の形態３の非接触式眼圧計の光学系の側面配置図である。
【発明を実施するための形態】
【００１８】
以下、本発明を実施するための形態について、添付図面を参照しながら実施例を挙げて説明する。
【００１９】
（実施の形態１）
図１においてＳは、非接触式眼圧計である。
非接触式眼圧計Ｓは、装置ベース２と、架台３と、装置本体４とを備えている。
装置ベース２は、被検者の顔部ＨＢを支持する受台１を有する。
【００２０】
架台３は、装置ベース２に対して前後方向、左右方向に移動可能に設けられている。なお、矢印Ｚは前後方向、矢印Ｘは左右方向、矢印Ｙは上下方向を示す。
【００２１】
装置本体４は、架台３の上部に設けられ、内部の駆動手段及び駆動機構の作動で、架台３に対し、前後方向、左右方向、上下方向に移動される。
【００２２】
架台３には、操作ボタン５ａを有する操作ノブ５と、モニタ６などが設けられている。操作ノブ５は、検者により操作され、これにより架台３が前後左右に移動される。また、装置本体４の前面には、被検者の被検眼Ｅと対向するように前眼部窓ガラス１３（図２参照）を通して気流吹付ノズル８が設けられている。
【００２３】
装置本体４の内部には、図２に示す、前眼部観察光学系１０、ＸＹＺアライメント指標投影光学系２０、中央固視標光学系（中央固視標提示手段）３０、ＸＹＺアライメント検出光学系４０、角膜変形検出光学系５０、上部固視標光学系（固視標提示手段）６０、制御回路８０が設けられている。
【００２４】
前眼部観察光学系１０は、被検眼Ｅの前眼部を観察するためのもので、前眼部照明光源（図示を省略）、前眼部窓ガラス１２、チャンバー窓ガラス１３，１４、ハーフミラー１５、対物レンズ１６、ハーフミラー１７，１８、ＣＣＤカメラ１９などからなり、Ｏ１はその光軸である。
【００２５】
被検眼Ｅの前眼部像は、前眼部窓ガラス１２、チャンバー窓ガラス１３，１４、ハーフミラー１５を透過し、対物レンズ１６により集束されつつハーフミラー１７，１８を透過してＣＣＤカメラ１９上に形成される。
【００２６】
ＸＹＺアライメント指標投影光学系２０は、ＸＹＺ方向のアライメント検出および角膜変形検出のための指標光を被検眼Ｅの角膜Ｃに正面から投影する。
【００２７】
中央固視標光学系３０は、気流吹付ノズル８の内部を通して、光軸Ｏ１と略同軸で被検眼Ｅに中央固視標を提供するもので、可視光を出射する中央固視標用光源３１、ピンホール板３２、ダイクロイックミラー２５、投影レンズ２６、ハーフミラー１５、チャンバー窓ガラス１４などからなる。
【００２８】
中央固視標用光源３１から出射された固視標光は、ピンホール板３２、ダイクロイックミラー２５を経て、投影レンズ２６により平行光とされ、ハーフミラー１５で反射された後に、気流吹付ノズル８の内部を通過して被検眼Ｅに導かれる。被検者はその中央固視標を固視する。
【００２９】
ＸＹＺアライメント指標投影光学系２０は、赤外光を出射するＸＹＺアライメント用光源２１、集光レンズ２２、開口絞り２３、ピンホール板２４、ダイクロイックミラー２５、ピンホール板２４に焦点を一致させるように光路上に配置された投影レンズ２６、ハーフミラー１５、チャンバー窓ガラス１４などからなる。
【００３０】
ＸＹＺアライメント用光源２１から出射された赤外光は、ピンホール板２４に導かれ、ピンホール板２４を通過した光束は、ダイクロイックミラー２５で反射され、投影レンズ２６によって平行光束となってハーフミラー１５で反射された後に、気流吹付ノズル８の内部を通過し、図３に示すＸＹＺアライメント指標光Ｋを形成する。図３には、中央固視標光学系３０により中央固視標を提示させた状態が示されており、ＸＹＺアライメント指標光Ｋは、光軸Ｏ１と角膜Ｃとの交点ＸＯと角膜Ｃの曲率中心との中間位置に輝点像Ｒを形成するようにして角膜表面Ｔで反射される。
【００３１】
ＸＹＺアライメント検出光学系４０は、ＸＹＺアライメント指標光Ｋの角膜Ｃによる反射光束を受光して非接触式眼圧計Ｓと角膜ＣのＸＹＺ方向の位置関係を検出する。
【００３２】
ＸＹＺアライメント検出光学系４０は、チャンバー窓ガラス１４、ハーフミラー１５、対物レンズ１６、ハーフミラー１７，１８、センサ４１、ＸＹＺアライメント検出回路４２などからなる。
【００３３】
角膜Ｃにより反射されたＸＹＺアライメント指標光Ｋの反射光束は、ハーフミラー１８で反射され、センサ４１上に輝点像Ｒ’１を形成する。このセンサ４１は、ＰＳＤのような位置検出可能な受光センサである。
ＸＹＺアライメント検出回路４２は、センサ４１の出力を基にして、非接触式眼圧計Ｓと角膜Ｃとの位置関係（ＸＹＺ方向）を公知の手段によって演算し、その演算結果を制御回路８０に出力する。
【００３４】
一方、ハーフミラー１８を透過した角膜Ｃによる反射光束は、ＣＣＤカメラ１９上に輝点像Ｒ’２を形成する。ＣＣＤカメラ１９は、制御回路８０を介してモニタ６に画像信号を出力し、図４（ａ）に示すように、被検眼Ｅの前眼部像Ｅ’、ＸＹＺアライメント指標光Ｋの輝点像Ｒ’２がモニタ６の画面Ｇに表示される。なお、図４（ａ）においてＫＯは被検眼Ｅの光彩を示し、Ｄは瞳孔を示している。
【００３５】
図２に戻り、角膜変形検出光学系５０は、ＸＹＺアライメント指標光Ｋの角膜Ｃによる反射光束を受光して角膜Ｃの変形量を検出するもので、ＸＹＺアライメント指標投影光学系２０により角膜Ｃに投影されて角膜表面Ｔで反射された反射光束の一部が、ハーフミラー１７によって反射され、角膜変形検出光学系５０に導かれ、ピンホール板５１を通過してセンサ５２に導かれる。
【００３６】
上部固視標光学系６０は、装置本体４において気流吹付ノズル８よりも上方に配置されて被検眼Ｅに上部固視標を提供するもので、図５に示すように、可視光を出射する上部固視標用光源６１と、この上部固視標用光源６１を覆うとともに、上部固視標用光源６１の可視光を被検眼Ｅに向けて出射させる出射口６２を有したカバー６３とを備えている。被検者は、この上部固視標用光源６１を上部固視標として固視することにより、被検眼Ｅが上向きに旋回される。図５においてＯ３は、このときの被検眼Ｅによる視線を示しており、この視線Ｏ３は、光軸Ｏ１に対して略３０度上向きとなる。
【００３７】
図２に戻り、切換スイッチ９１は、上部固視標光学系６０の上部固視標用光源６１と、中央固視標光学系３０の中央固視標用光源３１との点灯を切り換えるものである。
制御回路８０は、ＸＹＺアライメント検出回路４２の検出に基づいて、装置本体４を駆動させる図示を省略したモータを駆動させてアライメントを実行するとともに、装置本体４と被検眼Ｅとのアライメント調整が完了すると気流吹付ノズル８から被検眼Ｅの角膜Ｃに向けて気流を吹き付ける制御を行う。
【００３８】
演算回路８１は、角膜変形検出光学系５０によって検出された角膜変形量に基づいて、中央固視標を提示して測定した眼圧値Ｈａと、上部固視標を提示して測定した眼圧値Ｈｂを演算する機能を有する。
換算回路８２は、上部固視標の提示状態で得られた眼圧値Ｈｂを、中央固視標提示状態で得られる眼圧値Ｈａに相当する眼圧値Ｈａ’に換算する機能を有する。その詳細については、後述する。
【００３９】
（実施の形態１の作用）
眼圧測定時には、検者は、切換スイッチ９１を操作して、上部固視標と中央固視標との一方を提示させて測定を行う。
【００４０】
上部固視標を提示して被験者がこれを固視した場合、図５に示すように、被検眼Ｅが上方に旋回されて視線Ｏ３が上向きとなる。図６（ａ）は、このときのモニタ６の画面Ｇを示しており、前眼部像Ｅ’の光彩ＫＯの位置は、光軸Ｏ１の位置よりも上方となり、また、上瞼７２および睫毛７１が、上方に移動する。また、図６（ｂ）は、上部固視標を固視したときの被検眼Ｅを側方から見た状態を示しており、上瞼７２および睫毛７１が、気流吹付ノズル８の正面よりも上方に移動する。
【００４１】
アライメント調整が終了すると、気流吹付ノズル８から被検眼Ｅに気流が吹き付けられる。この上部固視標の提示状態では、気流は、図６に示すように、角膜Ｃの頂点Ｐから下方にずれた光軸Ｏ１を含む領域ＡＲに吹き付けられる。
【００４２】
したがって、上部固視標の提示状態では、図６（ｂ）に示すように、上瞼７２および睫毛７１が上方に移動し、気流吹付ノズル８から吹き付けられる気流Ａの流れを阻害することを抑制し、適切な角膜圧平を行って眼圧測定を行うことができる。加えて、このとき、気流吹付ノズル８から眼を逸らした状態で測定を行なうことができるので、被検者に対する気流吹付ノズル８の接近による圧迫感、恐怖感が軽減される。
【００４３】
一方、被検眼Ｅが中央固視標を固視した状態では、気流は、図４（ａ）に示すように、角膜Ｃの頂点Ｐと一致する光軸Ｏ１を含む領域ＡＲに吹き付けられる。
このとき、図４（ａ）に示すように、上瞼７２および睫毛７１が、気流が吹き付けられる領域ＡＲを覆っていない場合には、気流吹付時に適切な圧平が得られる。
【００４４】
一方、図４（ｂ）に示すように、睫毛７１が光軸Ｏ１の近傍の気流が吹き付けられる領域ＡＲを覆っている場合には、気流Ａが睫毛７１に阻害されて、適切な角膜圧平が得られないおそれがある。また、中央固視標を固視した状態で、気流吹付ノズル８が被検眼Ｅに接近した場合、被検者に圧迫感、恐怖感を与えるおそれがある。このように、中央固視標の提示状態で、気流が睫毛７１に阻害されるおそれや、被検者に圧迫感、恐怖感を与えるおそれがある場合は、上記のように上部固視標を提示させて、測定を行うのが好ましい。
【００４５】
次に、換算回路８２による換算について説明する。
角膜Ｃの厚さは、図７に示すように、上部固視標を固視した状態で気流が吹き付けられる部位である光軸Ｏ１との交点ＸＯ付近の厚さｔ２が、中央固視標を固視した状態で気流が吹き付けられる頂点Ｐの付近の角膜Ｃの厚さｔ１よりも厚い（例えば、ｔ１＝５００μｍ程度であるのに対し、ｔ２＝５００＋５０μｍ程度となる）。
【００４６】
したがって、図７に示すように上部固視標を固視させて被検眼Ｅを上向きに旋回させた状態で光軸Ｏ１との交点ＸＯ付近に気流を吹き付けた場合の角膜変形が、中央固視標を固視させて角膜Ｃの頂点Ｐの付近に気流を吹き付けた場合の角膜変形と異なるため、上部固視標の固視状態で得られる眼圧値Ｈｂは、中央固視標の固視状態で得られる眼圧値Ｈａと異なる。
【００４７】
そこで、本実施の形態１では、換算回路８２が、上部固視標を提示した状態で演算回路８１により算出された眼圧値Ｈｂに対する補正を行って、中央固視標を固視させたときに得られるであろう眼圧値Ｈａに相当する眼圧値Ｈａ’に換算する。
この場合、上部固視標を提示して算出された眼圧値Ｈｂに、あらかじめ設定された係数を乗じて換算値（眼圧値Ｈａ’）を求めるようにしてもよいし、あるいは、あらかじめ眼圧値Ｈｂに対する換算値（眼圧値Ｈａ’）をテーブルの形で記憶させておいてもよい。さらに、上部固視標を固視した時の光軸Ｏ１の位置の角膜Ｃの厚さｔ２を測定し、この測定値に応じて換算値（眼圧値Ｈａ’）を求めるようにしてもよい。
なお、角膜Ｃの厚さを測定する手段としては、本願出願人の出願による特開平１１−２７６４４０号公報に記載されているように、前眼部観察光学系１０の光軸Ｏ１とＺアライメント検出光学系の光軸とが成す光軸角θとセンサ５２の位置の像倍率および角膜Ｃの表面曲率を与えて演算することができる。
【００４８】
（実施の形態１の効果）
ａ）中央固視標を提示して測定を行なう際に、被検者の睫毛７１が気流吹付ノズル８の気流の流れを阻害しそうな場合、あるいは睫毛７１が気流の流れを阻害して眼圧値Ｈａが得られない場合は、検者は、上部固視標を提示し、被検者に上部固視標を固視させた状態で気流を吹き付けて眼圧値Ｈｂを測定することができる。
この上部固視標の固視状態では、図６（ｂ）に示すように、上瞼７２および睫毛７１が上方に移動し、睫毛７１が気流を妨げにくくなるため、測定エラーの発生を抑制できる。
このように気流を妨げるような睫毛７１は、個人差だけでなく、人種の違いなどでも生じ、例えば、東洋人は西洋人などと比較して、睫毛７１が下向きで気流の吹き付けの際に邪魔になる傾向がある。特に、睫毛７１が気流を妨げるような人種の眼圧値を測定する場合は、切換スイッチ９１を、あらかじめ上部固視標を提示する側に切り換えておくことで、測定エラーを回避できて好ましい。
【００４９】
ｂ）中央固視標の提示により測定を行なう際に、被験者が、気流吹付ノズル８に対して圧迫感、恐怖感を感じる場合は、上部固視標を提示し、被検者の視線を気流吹付ノズル８から上方に外して圧迫感、恐怖感を抑制した状態で眼圧値Ｈｂを測定することができる。
【００５０】
ｃ）上部固視標の提示状態で眼圧測定を行った場合、換算回路８２が、測定した眼圧値Ｈｂを、中央固視標を提示したときに得られるであろう眼圧値Ｈａに換算するようにしたので、従来どおり、中央固視標を提示したときの眼圧値Ｈａに相当する眼圧値Ｈａ’を得ることができて好ましい。
【００５１】
（他の実施の形態）
以下に、他の実施の形態の非接触式眼圧計について説明する。
なお、他の実施の形態を説明するのにあたり、実施の形態１と同じ構成については同じ符号を付けて説明を省略する。作用についても、実施の形態１と相違する作用について説明し、実施の形態１と同じ作用については説明を省略する。
【００５２】
（実施の形態２）
次に、実施の形態２の非接触式眼圧計Ｓについて説明する。この実施の形態２は、上部固視標の提示と中央固視標の提示を、自動でも行なうようにした例である。
【００５３】
実施の形態２の非接触式眼圧計Ｓでは、図８に示すように切換回路８３を設けている。
切換回路８３は、中央固視標用光源３１および上部固視標用光源６１の点灯・消灯を切り換えるものであり、この切換回路８３による両固視標の提示の切り換えは、切換スイッチ９１の操作に加え測定エラーの有無に基づいて行なわれる。
すなわち、切換回路８３は、通常は、眼圧測定時には、中央固視標光学系３０により中央固視標の提示を行うが、切換スイッチ９１の手動操作により上部固視標の提示が選択されるか、あるいは中央固指標の提示状態で測定エラーが生じるかした場合に、中央固視標の提示を停止し、上部固視標を提示する。
【００５４】
（実施の形態３）
図９は、実施の形態３の非接触式眼圧計の光学系の側面配置図である。この実施の形態３の非接触式眼圧計は、固視標提示手段を被検眼Ｅの正面方向に配置するとともに、気流吹付ノズル８を、固視標提示手段の下方位置で斜め上向きに設置した例である。また、実施の形態３の非接触式眼圧計の光では、角膜厚を測定する角膜厚測定手段３００を備え、かつ、角膜厚測定手段３００においてスリット光を投影させるスリット光投影系３２０が固視標提示手段を兼ねるようにしている。
【００５５】
以下、図９に基づいて詳細に説明する。
装置本体４には、角膜厚測定手段３００が設けられており、この角膜厚測定手段３００は、スリット光投影系３２０とスリット受光系３３０とを備えている。
スリット光投影系３２０は、光源３２１、スリット板３２２、投影レンズ３２３を備えており、光軸Ｏ３１が、眼圧測定時に、被検眼Ｅの正面方向に配置できるように略水平に設置されている。また、スリット板３２２は、角膜Ｃ上に水平方向（図において、紙面に直交する方向）に延びるスリット光を形成するスリットを有している。なお、スリット板３２２および投影レンズ３２３は、角膜Ｃに形成されるスリット像に対して、シャインプルーフの原理に基づく配置としている。すなわち、スリット板３２２のスリット面、投影レンズ３２３の主平面およびスリットの結像面の延長面が１本の交線で交わる配置となっている。
【００５６】
スリット受光系３３０は、撮像レンズ３３１、ＣＣＤカメラ３３２を備え、光軸Ｏ３２が、スリット光投影系３２０の光軸Ｏ３１に対してθ３の角度を成して設置されている。そして、撮像レンズ３３１およびＣＣＤカメラ３３２は、スリット光束による光断面（Ｏ３１）と、撮像レンズ３３１の主平面と、ＣＣＤカメラ３３２の結像面とが、一本の交線で交わるような、シャインプルーフの原理に基づく配置とされている。
装置本体４には、前眼部観察光学系３１０が、スリット光投影系３２０とスリット受光系３３０との間で、光軸Ｏ１を、斜め上向きに傾斜させて取り付けられている。そして、気流吹付ノズル８が、光軸Ｏ１と同軸にその先端が斜め上方を向くように装置本体４に設置されている。なお、前眼部観察光学系３１０には、ハーフミラー３１４，３１５，３１６、対物レンズ３１７、結像レンズ３１８、ＣＣＤカメラ３１９が設置されており、ハーフミラー３１４，３１５，３１６は、実施の形態１と同様に、図示を省略したＸＹＺアライメント指標投影光学系２０や、ＸＹＺアライメント検出光学系４０や、角膜変形検出光学系５０などの構成要素となっている。
【００５７】
次に、実施の形態３の非接触式眼圧測定計の作用を説明する。
実施の形態３では、アライメント終了後、スリット光投影系３２０によりスリット光を投影させる。そして、被験者に、正面のスリット光を上部固視標として固視させ、角膜Ｃの頂点Ｐが、光軸Ｏ３１に重なった状態で眼圧測定を行なう。このとき、気流吹付ノズル８は、被検眼Ｅの固視方向の下方から、角膜Ｃの頂点Ｐに対し下方にずれた領域ＡＲに気流を吹き付ける。
【００５８】
したがって、気流吹付ノズル８から吹き付ける気流は、実施の形態１，２と同様に、睫毛７１の影響を受けにくいとともに、被験者の固視方向とは異なる方向から気流吹付がなされるため、被検者は恐怖感を感じにくい。
【００５９】
また、実施の形態３では、スリット受光系３３０のＣＣＤカメラ３３２において、スリット光束による角膜断面画像が撮像され、この角膜断面画像に基づいて、角膜の厚さ（ｔ１）の測定が行なわれる。そして、換算回路８２は、光軸Ｏ３１の位置である角膜Ｃの頂点Ｐ近傍の厚さ（ｔ１）を測定し、この厚さ（ｔ１）に基づいて、演算回路８１により算出された眼圧値Ｈｂに対する補正を行って、頂点Ｐで得られるであろう眼圧値Ｈａに相当する眼圧値Ｈａ’に換算する。
【００６０】
このように、換算回路８２では、角膜Ｃの厚さを検出して、眼圧値Ｈｂに対する補正を行うため、角膜Ｃの厚さを検出しないものと比較して、より高精度な検出を行うことができる。
【００６１】
以上、本発明の実施の形態について図面を用いて説明したが、本発明はこうした実施の形態に限定されるものではなく、本発明の要旨を逸脱しない範囲内において種々の変形および置換を加えることができる。
【００６２】
例えば、実施の形態１では、中央固視標提示手段としての中央固視標光学系３０を備えたものを示したが、上部固視標提示手段のみを備えた構成としてもよい。
【００６３】
また、実施の形態１では、上部固視標を被検眼Ｅに向けて提示したときの視線Ｏ３の向きが、光軸Ｏ１に対して３０°上向きに設定したが、この角度は、３０°に限定されるものではない。
【符号の説明】
【００６４】
８    気流吹付ノズル
６０  上部固視標光学系（固視標提示手段）
８１  演算回路
Ｃ    角膜
Ｅ    被検眼
Ｏ１  （前眼部観察光学系の）光軸
【図１】
0005443225.tif 000002
【図２】
0005443225.tif 000003
【図３】
0005443225.tif 000004
【図４】
0005443225.tif 000005
【図５】
0005443225.tif 000006
【図６】
0005443225.tif 000007
【図７】
0005443225.tif 000008
【図８】
0005443225.tif 000009
【図９】
0005443225.tif 000010